(57)【特許請求の範囲】
【請求項１】
接地部材の上部に前後方向にスライド可能に取り付けられた座部支持部と、上記座部支持部に対して起倒可能に配設された背もたれ支持部とを備え、
上記接地部材と、上記座部支持部と、上記背もたれ支持部とをリンク機構によって接続したものであり、
上記リンク機構は、上記背もたれ支持部が上記座部支持部に対して起きる動きを行なう際に上記座部支持部を上記接地部材に対して前進させ、上記背もたれ支持部が上記座部支持部に対して倒れる動きを行なう際に上記座部支持部を上記接地部材に対して後進する動きを行なうように、上記接地部材と上記座部支持部と上記背もたれ支持部とを接続した理美容椅子において、
上記座部支持部の後端には、摺動回動点を介して、上記背もたれ支持部の下端寄りが上記背もたれ支部部の長手方向に摺動可能且つ起倒回動可能に接続され、
回動アームの一端が、上記座部支持部の後端より前方において、上記座部支持部に回動可能に接続され、
上記回動アームの他端が、背もたれ支持部の下端に回動可能に接続され、
上記回動アーム、上記背もたれ支持部、上記回動アーム又は上記背もたれ支持部と同体に動く部材の少なくとも一つが、上記接地部材に対して、一定範囲内の距離を保つように距離規定部によって接続され、
上記背もたれ支持部が起倒する際に、上記距離規定部が、上記回動アーム、上記背もたれ支持部、上記回動アーム又は上記背もたれ支持部と同体に動く部材の少なくとも一つと、上記接地部材との距離を一定範囲内に制限することによって、上記座部支持部及び上記背もたれ支持部が上記接地部材に対して前後にスライドすることを特徴とする理美容椅子。
【請求項２】
上記接地部材が、上記座部支持部を略垂直方向に上下させる支柱であることを特徴とする請求項１記載の理美容椅子。
【請求項３】
上記回動アーム、上記背もたれ支持部、上記回動アーム又は上記背もたれ支持部と同体に動く部材の少なくとも一つが、上記接地部材、上記座部支持部、上記接地部材又は上記座部支持部と同体に動く部材の少なくとも一つとの間に、前後方向の距離を伸縮させる作動部材が設けられ、上記作動部材の前後方向への伸縮によって上記背もたれ支持部が起倒することを特徴とする請求項１又は２に記載の理美容椅子。
【発明の詳細な説明】
【技術分野】
【０００１】
本願発明は、シャンプーに適した理美容椅子に関するものである。
【背景技術】
【０００２】
特許文献１〜３に示すように、背もたれを倒して、仰向けの状態で、被施術者の頭部をシャンプーボウルに位置させて、シャンプーを行なうようにした理美容椅子が、従来より広く用いられている。
【０００３】
この種の理美容椅子の問題の一つとして、背もたれを起した状態下での背もたれとシャンプーボウルの間隔と、背もたれを倒した状態下での背もたれとシャンプーボウルの間隔との調整の問題がある。具体的には、背もたれの位置を、前者の状態でシャンプーボウルの位置に適合させると、後者の状態では背もたれとシャンプーボウルとの間隔が小さくなりすぎ、パーマネントや毛染めなどの施術の際に、施術者が被施術者の背後に回って、施術することが困難になる。
【０００４】
そのため、特許文献１にあっては、座部を前方に移動可能とすることが提案されているが、座部の前後方向への移動と、背もたれの起倒とが良好に連動しておらず、施術者による位置調整に手間がかかるものであった。
【先行技術文献】
【特許文献】
【０００５】
【特許文献１】特開２００５−１５２５７４号公報
【特許文献２】特開２００６−６１５２２号公報
【特許文献３】特開２００１−２３１６５２号公報
【発明の概要】
【発明が解決しようとする課題】
【０００６】
本願発明の目的は、背もたれの位置を、前者の状態でシャンプーボウルの位置に適合させると、後者の状態では背もたれとシャンプーボウルとの間隔が小さくなりすぎ、パーマネントや毛染めなどの施術の際に、施術者が被施術者の背後に回って、施術することが困難になるという課題を解決することにある。
本願発明の他の目的は、座部の前後方向への移動と、背もたれの起倒とを、良好に連動させて、背もたれの起倒時の位置調整を円滑に行なうことができる理美容椅子を提供することにある。
本願発明のさらに他の目的は、略垂直に昇降する座部にあって、上記の課題を解決することにある。
【課題を解決するための手段】
【０００７】
本願発明は、
接地部材の上部に前後方向にスライド可能に取り付けられた座部支持部と、上記座部支持部に対して起倒可能に配設された背もたれ支持部とを備え、
上記接地部材と、上記座部支持部と、上記背もたれ支持部とをリンク機構によって接続したものであり、
上記リンク機構は、上記背もたれ支持部が上記座部支持部に対して起きる動きを行なう際に上記座部支持部を上記接地部材に対して前進させ、上記背もたれ支持部が上記座部支持部に対して倒れる動きを行なう際に上記座部支持部を上記接地部材に対して後進する動きを行なうように、上記接地部材と上記座部支持部と上記背もたれ支持部とを接続するものであることを特徴とする理美容椅子を提供する。
本願発明に係る理美容椅子にあっては、
上記座部支持部の後端には、摺動回動点を介して、上記背もたれ支持部の下端寄りが上記背もたれ支部部の長手方向に摺動可能且つ起倒回動可能に接続され、
回動アームの一端が、上記座部支持部の後端より前方において、上記座部支持部に回動可能に接続され、
上記回動アームの他端が、背もたれ支持部の下端に回動可能に接続され、
上記回動アーム、上記背もたれ支持部、上記回動アーム又は上記背もたれ支持部と同体に動く部材の少なくとも一つが、上記接地部材に対して、一定範囲内の距離を保つように距離規定部によって接続され、
上記背もたれ支持部が起倒する際に、上記距離規定部が、上記回動アーム、上記背もたれ支持部、上記回動アーム又は上記背もたれ支持部と同体に動く部材の少なくとも一つと、上記接地部材との距離を一定範囲内に制限することによって、上記座部支持部及び上記背もたれ支持部が上記接地部材に対して前後にスライドする。
本願発明は、上記接地部材は、上記座部支持部を略垂直方向に上下させる支柱として実施し得る。
また本願発明は、上記回動アーム、上記背もたれ支持部、上記回動アーム又は上記背もたれ支持部と同体に動く部材の少なくとも一つが、上記接地部材、上記座部支持部、上記接地部材又は上記座部支持部と同体に動く部材の少なくとも一つとの間に、前後方向の距離を伸縮させる作動部材が設けられ、上記作動部材の前後方向への伸縮によって上記背もたれ支持部が起倒するものとして実施することができる。
【発明の効果】
【０００８】
本願発明は、上記背もたれ支持部が上記座部支持部に対して起こす動きを行なう際に、上記座部支持部が上記接地部材に対して前進し、上記背もたれ支持部が上記座部支持部に対して倒す動きを行なう際に、上記座部支持部が上記接地部材に対して前進する動きを行なうように、上記接地部材と上記座部支持部と上記背もたれ支持部とを接続するものであるリンク機構を備えたものであるため、背もたれの位置を、前者の状態でシャンプーボウルの位置に適合させると、後者の状態では背もたれとシャンプーボウルとの間隔が小さくなりすぎることを防ぎ、シャンプーボウルを移動させずとも、パーマネントや毛染めなどの施術の際に、施術者が被施術者の背後に回って、施術することを容易になすことができる。
特に、リンク機構を備えたものであるため、円滑且つ簡単な構成で、背もたれの起倒と座部の前後動を連動させることができたものである。
また、本願発明は、上記の作用効果を、垂直式の流体圧シリンダなどの略垂直方向に上下させる支柱によって実現することができたものである。
また、本願発明は、背もたれの起倒と座部の前後動とを、流体圧シリンダ等の一つの作動部材で実現することができたものである。
【図面の簡単な説明】
【０００９】
【図１】本発明の実施の形態に係る理美容椅子の側面図であり、（Ａ）は背もたれを倒した状態、（Ｂ）は背もたれを起した状態を示す。
【図２】同理美容椅子のリンク機構の説明図であり、（Ａ）は背もたれを倒した状態、（Ｂ）は中間状態、（Ｃ）は背もたれを起した状態を示す。
【発明を実施するための形態】
【００１０】
以下、図面に基づき本願発明の実施の形態を説明する。
【００１１】
図示の理美容椅子は、シャンプー台５２に設けられたシャンプーボウル５１に、仰向けで被施術者の頭部（図示せず）を置いて、シャンプーを行なうのに適したものであり、接地部材（具体的には、基台１１に略垂直に設けられた支柱１３）の上端に座部２１を配置し、この座部２１に対して起倒可能に背もたれ支持部２４が配置され、この背もたれ支持部２４に背もたれ２３が支持されているものである。
【００１２】
支柱１３は、図示は省略するが油圧シリンダ等の流体圧シリンダを備え、この流体圧によって略垂直方向に伸縮することによって、座部２１の高さを調整するものである。支柱１３の下端側はケース１２によってカバーされている。なお、垂直に配置された流体圧シリンダに代えて、電動式の昇降手段や、平行リンクを用いた昇降手段に変更することもできる。
【００１３】
支柱１３の上端にはスライド支持部１４が設けられ、スライド支持部１４に対して、略水平方向（前後方向）にスライド可能に座部支持部２２が取り付けられ、この座部支持部２２に座部２１が固定されることによって、座部２１が支柱１３に対して前後にスライド可能となっている。
この支柱１３の座部２１のスライドは、次に述べるリンク機構によって背もたれ２３の起倒と連動して行なわれる。
【００１４】
まず、スライド支持部１４又は支柱１３に設けられた第１回動点３１によって、距離規定体４３の一端が回動可能に接続され、この距離規定体４３の他端は第２回動点３２を介して回動アーム４１に接続されている。この回動アーム４１の下端は第４回動点３４を介して背もたれ支持部２４の下端に回動可能に接続されている。回動アーム４１の上端は第３回動点３３を介して座部２１の前後方向の中程に接続されている。背もたれ支持部２４は摺動回動点３０を介して背もたれ支持部２４の長手方向に摺動可能且つ回動可能に接続されている。この背もたれ支持部２４には、摺動回動点３０を摺動可能に支持するレールや長孔等の摺動域２５が設けられている。摺動回動点３０は座部２１（座部支持部２２）の後端に設けられたものであり、これによって、座部２１（座部支持部２２）は背もたれ支持部２４に対して、摺動域２５の範囲内で摺動可能且つ回動可能に接続されている。座部２１（座部支持部２２）の前端寄りは、前述のスライド支持部１４によって前後にスライド可能に支持されている。
【００１５】
以上の構成によって、次に述べる作動を行い、背もたれ２３の起倒と座部２１の前後方向のスライドが行なわれる。これらの動きは、例えば、施術者が手で背もたれ２３を起倒させることによって行い得るが、これを自動で行なうために、この例では、油圧シリンダ等の流体圧シリンダ（図示せず）を備えた伸縮部４５を用いている。この伸縮部４５の後端は、第５回動点３５を介して回動アーム４１に接続され、伸縮部４５の前端は第６回動点３６を介して座部２１（座部支持部２２）の前端に接続されている。この伸縮部４５の後端は回動アーム４１ではなく、４２に接続することも可能である。この伸縮部４５の後端は、回動アーム４１又は４２に直接接続されている必要はなく、回動アーム４１又は４２と同体に回転する別部材（図示せず）に接続するようにしてもよい。また、伸縮部４５の前端は、支柱１３に対して接続することもできる。また流体圧シリンダに代えてボール螺子やラックとピニオンなど前後方向に移動して前後方向の距離を伸縮させる他の作動手段に変更して実施することもできる。
【００１６】
次に、この背もたれ支持部２４（即ち、背もたれ２３）の起倒に伴う作動状態を説明する。図２（Ａ）に示すように、背もたれ支持部２４が後方へ倒されて、被施術者の頭部がシャンプーボウル５１（図１のみに図示）に合致する位置にある状態から、背もたれ支持部２４を前方に回動させて、起きた状態（図２（Ｃ））にするまでの動きを説明する。図２（Ｂ）は、同（Ａ）から（Ｃ）に至るまでの中間の状態であるが、これは理解を助けるために図示したに止まり、この（Ｂ）の中間状態で動きを止める必要はなく、（Ａ）から（Ｃ）に一連の動作で背もたれ２３は起こされるものである。
【００１７】
背もたれ２３を起こすために、伸縮部４５が収縮する。これによって、回動アーム４１は第３回動点３３を中心として、その下端が後方に向けて回動する。この回動アーム４１の回動に伴い、背もたれ支持部２４は第４回動点３４を中心として、後方から前方に起き上がるように回動する。その際、背もたれ支持部２４の摺動域２５によって制限された円運動範囲内で、摺動回動点３０に対して、背もたれ支持部２４が上昇するように移動する。即ち、背もたれ支持部２４の下端である第４回動点３４を中心に表現すると、背もたれ支持部２４が倒れた状態から起き上がる際に、背もたれ支持部２４が第４回動点３４を中心に回転すると共に、第４回動点３４は、図２（Ａ）の前方下方位置から図２（Ｃ）の後方上方位置へと移動する。なお、この例では、図２（Ｂ）に示すように、第４回動点３４は、倒れた状態から起きた状態に至る間に、前後方向中間で上下方向最下方位置を通過するが、例えば、背もたれ支持部２４を湾曲させるなどして、図２（Ｂ）〜図２（Ｃ）への移動のみで起伏を完了させることもできる。
【００１８】
このように、回動アーム４１の下端側が前方から後方に回動する際、距離規定体４３によって、支柱１３側の第１回動点３１と回動アーム４１側の第２回動点３２とが一定範囲（第１回動点３１を中心とする半径距離規定体４３の円弧範囲）内の距離に保たれている。その結果、距離規定体４３の後端の接続点である第２回動点３２が、回動アーム４１の回動に伴い、第３回動点３３に対して相対的に後方へ移動しようとするが、距離規定体４３によって支柱１３に対する距離が一定の範囲内に制限される結果、第３回動点３３が前方に移動する。即ち、スライド支持部１４に支持された座部２１及び背もたれ支持部２４が、支柱１３に対して前方にスライドする。これによって、背もたれ支持部２４が起きると共に、座部２１及び背もたれ支持部２４が前方に移動する。図２（Ａ）における支柱１３と座部２１の前端の距離ａ１は、中間の（Ｂ）では距離ａ２、最終の（Ｃ）では距離ａ３となる。具体的には、ａ３−ａ１＝約１０cm前方にスライドするように設定されている。これによって、図１（Ｂ）では、支柱１３の後端とシャンプーボウル５１の前端の間隔が約摺動回動点３０cmとなり、施術者は、シャンプーボウル５１を動かさずとも、シャンプーボウル５１と背もたれ２３との間に入って、被施術者の後方から自由に施術することができる。これに対して、座部２１及び背もたれ支持部２４が前方にスライドしない場合には、同間隔が約２０cmであり、施術者は被施術者の後方から施術することが困難となっていたものである。
上記とは逆に、背もたれ支持部２４が倒れる際には、座部２１は支柱１３に対して後方へ移動する動きを行なうものである。
【００１９】
上記の例では、距離規定体４３は支柱１３と回動アーム４１とに対して、第１回動点３１及び第２回動点３２によって回動可能となっているが、これに限らず、第３回動点３３の後方への回動運動時に、第３回動点３３を支柱１３に対して一定の距離となるように制限するものであればよい。具体的には、支柱１３に距離規定体４３を固定し、その後端を、回動アーム４１に摺動可能且つ回動可能に接続してもよい。逆に、回動アーム４１に距離規定体４３を固定し、回動アーム４１を支柱１３に摺動可能且つ回動可能に接続してもよい。さらに、距離規定体４３を摺動域２５に設け、距離規定体４３と支柱１３との間隔を所定範囲内に規制するようにしてもよい。また、リンク機構の作動原理を損なわない範囲で、各回動点等は、同軸で同体に回動する別個の部材に置き換えて実施することもできるものである。
【符号の説明】
【００２０】
１１  基台
１２  ケース
１３  支柱
１４  スライド支持部
２１  座部
２２  座部支持部
２３  背もたれ
２４  背もたれ支持部
２５  摺動域
３０  摺動回動点
３１  第１回動点
３２  第２回動点
３３  第３回動点
３４  第４回動点
３５  第５回動点
３６  第６回動点
４１  回動アーム
４３  距離規定体
４５  伸縮部
５１  シャンプーボウル
５２  シャンプー台
【図１】
0005451526.tif 000002
【図２】
0005451526.tif 000003